(57)【要約】【課題】  エコバックに代表される買物用のバッグにおいて、簡単に小さく折畳める機能を備えながらレジかごの中に立体的に素早く納めることが可能であり、レジの時に清算済の物を当バッグに直接入れてもらい、そのままバッグごと抜き取って帰れる仕組みの買物バッグを提供する。【解決手段】  買い物バッグ上部の４辺に外側に折り返せる上蓋を取り付け、バッグ底部のまち三角折部分に開閉可能な樹脂製蝶番型底板を嵌め込んでバッグ本体の上下の安定効果で素早く立体的にレジかご内に納めることができるようにした。また携帯時には、蝶番軸部とバッグ本体底部とを結び付けた留め紐とバッグの持ち手を同時に引くことにより、連動してバッグ本体のまち部が平面状態に畳まれるので、簡単に底板の半分程度の大きさにまで小さく折畳むことができる。【選択図】図１
2009090063.tif 000002
【特許請求の範囲】
【請求項１】
折畳むことができる買物用バッグにおいて、バッグ本体上部の４辺に上蓋を取り付け、バッグ本体底部のまち三角折部分に開閉可能な蝶番型底板を嵌め込み、その蝶番軸部とバッグ本体底部を紐等で貫通させて結び付けたことを特徴とする買物バッグ。
【請求項２】
上記蝶番型底板下側の蝶番軸部両端に、張力を働かせた弾性体を架け渡したことを特徴とする請求項１記載の買物バッグ。
【発明の詳細な説明】
【技術分野】
【０００１】  本発明は、従来のエコバックに代表される買物用バッグにおいて、レジかごの中に素早く立体的に納まる構造と簡単に小さく折畳める機能を合わせ持った買物バッグに関する。
【背景技術】
【０００２】  一般的にスーパー等で買物をした場合は、レジで清算を済ませた後にレジかごからレジ袋等に入れ換えて持ち帰る。しかし、この入れ換え作業はレジかごの底にある重いものから順に掘り出さなければならず、場所も要るし手間もかかる作業だった。【０００３】  そこで最近は、レジで清算済の物を入れるレジかご内に予め買物用バッグを被せ、それに直接入れてもらい、清算後はバッグごとを引き抜いて帰る便利な方法がある。これだと店側にとっても入れ換え台の場所が少なくてすみ動線的にもスッキリできる等のメリットがある。【０００４】  このように、客側と店側の双方に利益を生むやり方が、エコバッグを素早く浸透させる原動力となると思うが。そのためにはレジかごへのセッティングに手間がかからず、物を入れ易く、しかも小さく折畳み携帯できる買物用バッグが必要である。
【発明の開示】
【発明が解決しようとする課題】
【０００５】  これまでにも同方式による買物用バッグはいくつか存在し、あるものは底板の一辺のみが本体の中底に固定されていて、折畳む時にはそれをバッグの中で立て掛けることでマチ部分が平面になるものや、底板無しのバッグの上部に網を付けて、広げながらかごの縁に引っ掛けるもの等がある。しかし、前者は底板の大きさ以上には小さくならず、後者はセットに手間が掛かり入れづらい等の問題があり、また、両者ともレジかごとほぼ同じ大きさであるために自転車の前かごに入らない等の不便な点があった。【０００６】  本発明は、このような従来の買物用バッグが有していた問題を解決したものであり、簡単に小さく折畳める機能を備えながらレジかごの中に立体的に素早く納めることができ、レジの時に清算済の物を当バッグに直接入れてもらい、そのままバッグごと抜き取って帰れる仕組みの買物バッグを提供することを目的とする。
【課題を解決するための手段】
【０００７】  上記目的を達成するために、本発明の請求項１では、折畳むことができる買物用バッグにおいて、バッグ本体上部の４辺に上蓋を取り付け、バッグ本体底部のまち三角折部分に開閉可能な蝶番型底板を嵌め込み、その蝶番軸部とバッグ本体底部を紐等で貫通させて結び付けた。これにより、本発明の買物バッグをレジかご内に納めた時には、レジかごの縁に上蓋が折り返されて掛かるので上部が安定し、さらに底部も上記蝶番型底板が平面状に開いて押さえられることにより安定するので立体形状を保つことができる。また、バッグの持ち手と留め紐とを同時に反対方向に引くことで、上記蝶番型底板が閉じ、それに連動してバッグ本体底部のまち三角折部分が平面状態に折畳まれる。【０００８】  請求項２では、上記蝶番型底板下側の蝶番軸部両端に、張力を働かせた弾性体を架け渡した。これにより、折畳んだ状態の買物バッグをレジかごに納める時、上記蝶番型底板が閉じた状態から開いた状態に反発力で自動的に戻る構造となる。
【発明の効果】
【０００９】  本発明の買物バッグは、以下に記載されるような効果を有する。【００１０】  バッグの大きさがレジかごより小さめでも、上記蝶番型底板による本体底部の押さえと本体上部４辺の上蓋の内３辺以上の縁掛けによりレジかご内で安定し、物を詰めやすい立体形状を保たせることが可能になる。通常レジかごの容積はレジ袋ＬＬサイズ２枚分に相当することからレジかごの半分のサイズとしても良く、この場合はレジかごに２個揃えて入れることができる。これにより女性も片手で持てる程度になり、しかも自転車の前かごに入る最適な寸法になる。【００１１】  また、上記蝶番型底板の自動開き構造によりレジかごへのセッティングが素早く簡単にでき、しかも携帯時には、バッグの持ち手とバッグ底の留め紐を同時に引くことにより、上記蝶番型底板が閉じ、まち部分が連動して平面状態に折畳まれるので、さらに折畳んで底板の半分程度の大きさにまで簡単に小さくすることができる。また、留め紐が簡単に外せる構造なので本体と底板を分離して洗濯し、長期に渡り使用することが可能である。
【発明を実施するための最良の形態】
【００１２】  以下、本発明の実施の形態を図１〜図９に基づいて説明する。【００１３】  図１は、本発明の実施形態を示す買物バッグの斜視図であり、バッグ本体１にはその上部の４辺に長辺側上蓋２ａと短辺側上蓋２ｂが２枚づつ取り付けてあり、長辺側上蓋２ａの両端部付近の本体側に持ち手５が取り付けてある。また、上蓋に取り付けた係止部３や本体に取り付けた蓋留め用被係止部４ａ及び折畳み留め用被係止部４ｂはマジックテープやホックなど容易に取り外しができるものが良い。そして、レジかごの縁に掛ける上蓋部４枚は、生地を変えるか二重にするなどして他の部分より少し重みや厚みを付けると良い。また、底部には開閉可能な蝶番型底板７を嵌め込んであり、喋番軸部７ａとバッグ本体１の底部を留め紐６で貫通させて結び付けてある。【００１４】  図２は、同買物バッグをレジかごに納める時の状態を示す斜視図であり、短辺側上蓋２ｂ２枚をそれぞれ両手で持ち、かごの上から長辺側上蓋２ａ１枚をレジかごの縁に掛けるようにして垂直に降ろし入れるようにする。そして最後に短辺側上蓋２ｂ２枚をそれぞれ外側に折り曲げレジかごの縁に引っ掛けることで安定する。【００１５】  図３は、同買物バッグの本体底部の縫製方法を示す斜視図であり、バッグ本体１の底部を折り揃えて平面状態にし、まち部分も共に一体として縫い付ける。【００１６】  図４は、同買物バッグの中底部分を示す俯瞰図であり、蝶番型底板７のスリット部７ｂをまち三角折部分１ａの下に潜らせるようにして嵌め込み、蝶番軸部７ａとバッグ本体１の底部を留め紐６で貫通させて結び付けてある。また、バッグ本体１と蝶番型底板７は留め紐６の結び目を解いて簡単に取り外せるようになっている。【００１７】  図５は、蝶番型底板の開いた状態を示す平面図であり、蝶番軸部７ａが開閉の度に折れ曲がるので蝶番型底板７全体をポリプロピレン等の強靭な樹脂板製とするのが望ましい。【００１８】  図６は、蝶番型底板のＡ−Ａ’断面図であり、蝶番型底板７下側の蝶番軸部７ａ両端に、ゴムやコイルばね等の張力を働かせた弾性体８を架け渡した状態を示す。しかし、蝶番型底板７の素材自体に弾性がある場合は弾性体８が無くても図のように蝶番軸部７ａに対して直角方向に蝶番型底板７を予め曲げておくことにより同様に閉じても反発力で平面に戻すことが可能である。【００１９】  図７は、蝶番型底板の閉じた状態を示す側面図あり、蝶番型底板７は蝶番軸部７ａの所で半分に折れ曲がるので、折畳む時にコンパクトにすることができる。【００２０】  図８は、同買物バッグの折畳み方を示す斜視図であり、逆さにしてバッグの持ち手５とバッグ底の留め紐６を同時に引くことにより、上蓋が下がり蝶番型底板７の閉じ角度に連動してバッグ本体１及びまち三角折部分１ａが自動的に平面状態に折畳まれる。【００２１】  図９は、同買物バッグを折畳み携帯する時の状態を示す斜視図であり、平面状態になったバッグ本体１をさらに折畳み、係止部３を折畳み留め用被係止部４ｂに留めれば携帯するのに手頃な大きさとなる。
【図面の簡単な説明】
【００２２】
【図１】  本発明の実施形態を示す買物バッグの斜視図
【図２】  同買物バッグをレジかごに納める時の状態を示す斜視図
【図３】  同買物バッグの本体底部の縫製方法を示す斜視図
【図４】  同買物バッグの中底部分を示す俯瞰図
【図５】  蝶番型底板の開いた状態を示す平面図
【図６】  蝶番型底板のＡ−Ａ’断面図
【図７】  蝶番型底板の閉じた状態を示す側面図
【図８】  同買物バッグの折畳み方を示す斜視図
【図９】  同買物バッグを折畳み携帯する時の状態を示す斜視図
【符号の説明】
【００２３】  １    バッグ本体
１ａ  まち三角折部分
２ａ  長辺側上蓋
２ｂ  短辺側上蓋
３    係止部
４ａ  蓋留め用被係止部
４ｂ  折畳み留め用被係止部
５    持ち手
６    留め紐
７    蝶番型底板
７ａ  蝶番軸部
７ｂ  スリット部
８    弾性体
【図１】
2009090063.tif 000003
【図２】
2009090063.tif 000004
【図３】
2009090063.tif 000005
【図４】
2009090063.tif 000006
【図５】
2009090063.tif 000007
【図６】
2009090063.tif 000008
【図７】
2009090063.tif 000009
【図８】
2009090063.tif 000010
【図９】
2009090063.tif 000011